(57)【要約】【課題】ドラム軸方向に互いに間隔を空けて配置される複数の光源３５を有し、各光源３５から、帯電された感光体ドラムの周面に向けて除電光を照射することで該感光体ドラムを除電する除電装置において、感光体ドラムの周面における除電光の光量がドラム軸方向において一定になるようにする。【解決手段】各光源から感光体ドラムへと向かう除電光の光路に設けられ、ドラム軸方向に延びる光量制御壁部４０を備え、該光量制御壁部４０における隣合う光源３５の間に対応する部分は、感光体ドラムの周面における除電光の光量がドラム軸方向において一定になるように、光量制御壁部４０における各光源３５に対応する部分よりも除電光を通し易い形状又は材質で構成されている。【選択図】図８
2016090708.tif 000002
【特許請求の範囲】
【請求項１】
感光体ドラムの軸方向に互いに間隔を空けて配置される複数の光源を有し、該各光源から、該感光体ドラムの周面に向けて除電光を照射することで該感光体ドラムを除電する除電装置であって、
上記各光源から上記感光体ドラムへと向かう除電光の光路に設けられ、ドラム軸方向に延びる光量制御壁部を備え、
上記光量制御壁部における隣合う光源の間に対応する部分は、上記感光体ドラムの周面における除電光の光量がドラム軸方向において一定になるように、上記光量制御壁部における上記各光源に対応する部分よりも除電光を通し易い形状又は材質で構成されている、除電装置。
【請求項２】
請求項１記載の除電装置において、
上記光量制御壁部における隣合う光源の間に対応する部分は、上記光量制御壁部における上記各光源に対応する部分よりも除電光を通し易い切欠き形状で構成されている、除電装置。
【請求項３】
請求項１記載の除電装置において、
上記光量制御壁部はドラム軸方向に平行に延びて下端縁から上端縁までの高さが一定の矩形状の光量制御壁部であり、
上記光量制御壁部における隣合う光源の間に対応する部分は、上記光量制御壁部における上記各光源に対応する部分よりも光透過率が高い材質で構成されている、除電装置。
【請求項４】
所定の回転方向に回転駆動される上記感光体ドラムと、上記感光体ドラムを帯電させる帯電装置と、上記感光体ドラムの周面にトナーを供給する現像装置と、上記感光体ドラムを除電する上記請求項１乃至４のいずれか一項に記載の除電装置とをそれぞれが有する複数の画像形成ユニットと、
上記複数の画像形成ユニットの複数の感光体ドラムに当接し、周面が該複数の感光体ドラムに対して当接しながら回転駆動される無端状の転写ベルトと、
上記複数の感光体ドラムに対して上記転写ベルトを挟んで対向して配置され、上記転写ベルトに上記トナー像を転写させる複数の転写ローラーと、備えた画像形成装置であって、
上記除電装置は、上記感光体ドラムの周面における上記転写ローラーの対向位置よりも上記回転方向の上流側に除電光を照射する転写前除電と、上記感光体ドラムの周面における上記転写ローラーの対向位置よりも上記回転方向の下流側に除電光を照射する転写後除電とを実行するように構成され、
上記転写前除電のための除電光の光量は、上記転写後除電のための除電光の光量よりも小さく設定されており、
上記光量制御壁部は、上記転写前除電のための除電光の光路にのみ設けられている、画像形成装置。
【請求項５】
請求項４記載の画像形成装置において、
上記光量制御壁部は、上記現像装置の上面に形成されている、画像形成装置。
【発明の詳細な説明】
【技術分野】
【０００１】
本発明は、除電装置、及び該除電装置を備えた画像形成装置に関する。
【背景技術】
【０００２】
従来より、電子写真方式の画像形成装置における画像形成プロセスでは、まず帯電装置によって一定帯電せしめた感光体ドラムに対して光走査などによる書込処理を施して静電潜像を形成し、この静電潜像を現像装置によって現像する。次いで、現像によって得られたトナー像を、感光体ドラムの周面から記録紙や中間転写体等の転写体に転写する。転写処理後の感光体ドラムには残留電荷が存在するが、この残留電荷は除電装置によって取り除かれる。このように除電装置により感光体ドラムを除電することで、感光体ドラムに静電潜像の履歴が残ったまま後続の画像の書込み処理が実行されるのを防止している（例えば、特許文献１参照）。上記除電装置は、基板と、基板上に取付けられた複数の発光ダイオードとを有している。複数の発光ダイオードは、感光体ドラムの軸方向（以下、ドラム軸方向という）に互いに間隔を空けて配置されている。
【先行技術文献】
【特許文献】
【０００３】
【特許文献１】特開２０１３−１５６４８６号公報
【発明の概要】
【発明が解決しようとする課題】
【０００４】
しかしながら、上記特許文献１に示す画像形成装置では、除電装置を構成する複数の発光ダイオード（光源）がドラム軸方向に間隔を空けて配置されているので、感光体ドラムの周面に除電光の光量が強い部分と弱い部分とがドラム軸方向に交互に現れてしまう。このため、感光体ドラムの周面では除電光の光量がドラム軸方向において一定にならない。この結果、感光体ドラムに残った静電潜像の履歴を除電装置によって十分に消去することができないという問題がある。
【０００５】
本発明は、かかる点に鑑みてなされたものであり、その目的とするところは、感光体ドラムの周面における除電光の光量がドラム軸方向において一定になるようにすることで、感光体ドラムの周面の残留電荷をむら無く確実に除去しようとすることにある。
【課題を解決するための手段】
【０００６】
本発明に係る除電装置は、感光体ドラムの軸方向に互いに間隔を空けて配置される複数の光源を有し、該各光源から、該感光体ドラムの周面に向けて除電光を照射することで該感光体ドラムを除電するものである。そして、上記各光源から上記感光体ドラムへと向かう除電光の光路に設けられ、ドラム軸方向に延びる光量制御壁部を備え、上記光量制御壁部における隣合う光源の間に対応する部分は、上記感光体ドラムの周面における除電光の光量がドラム軸方向において一定になるように、上記光量制御壁部における上記各光源に対応する部分よりも除電光を通し易い形状又は材質で構成されている。
【０００７】
この構成によれば、感光体ドラムの周面に照射される除電光の光量をドラム軸方向において一定にすることができる。すなわち、上記光量制御壁部を設けない場合には、感光体ドラムの周面における隣合う光源の間に対応する部分の除電光の光量が、各光源に対応する部分の除電光の光量に比べて少なくなる。このため、感光体ドラムの周面における除電光の光量がドラム軸方向においてばらついてしまう。これに対して、上記構成では、各光源から感光体ドラムへと向かう除電光の光路にドラム軸方向に延びる光量制御壁部を設けると共に、この光量制御壁部における隣合う光源の間に対応する部分を各光源に対応する部分に比べて光を通し易い形状又は材質で構成するようにしたことで、感光体ドラムの周面における除電光の光量をドラム軸方向において一定にすることができる。よって、感光体ドラムの周面の残留電荷を除電装置によってむら無く確実に除去することができる。
【０００８】
上記光量制御壁部における隣合う光源の間に対応する部分は、上記光量制御壁部における上記各光源に対応する部分よりも除電光を通し易い切欠き形状で構成されていることが好ましい。
【０００９】
この構成によれば、光量制御壁部に切欠き形状を設けるだけでよいので、簡単な構成で感光体ドラムの周面における除電光の光量のばらつきを抑制することができる。
【００１０】
上記光量制御壁部はドラム軸方向に平行に延びて下端縁から上端縁までの高さが一定の矩形状の光量制御壁部であり、上記光量制御壁部における隣合う光源の間に対応する部分は、上記光量制御壁部における上記各光源に対応する部分よりも光透過率が高い材質で構成されていることが好ましい。
【００１１】
この構成によれば、光量制御壁部の形状を複雑化することなく、簡単な構成で感光体ドラムの周面における除電光の光量のばらつきを抑制することができる。
【００１２】
本発明に係る画像形成装置は、所定の回転方向に回転駆動される上記感光体ドラムと、上記感光体ドラムを帯電させる帯電装置と、上記感光体ドラムの周面にトナーを供給する現像装置と、上記感光体ドラムを除電する上記除電装置とをそれぞれが有する複数の画像形成ユニットと、上記複数の画像形成ユニットの複数の感光体ドラムに当接し、周面が該複数の感光体ドラムに対して当接しながら回転駆動される無端状の転写ベルトと、上記複数の感光体ドラムに対して上記転写ベルトを挟んで対向して配置され、上記転写ベルトに上記トナー像を転写させる複数の転写ローラーと、備えている。そして、上記除電装置は、上記感光体ドラムの周面における上記転写ローラーの対向位置よりも上記回転方向の上流側に除電光を照射する転写前除電と、上記感光体ドラムの周面における上記転写ローラーの対向位置よりも上記回転方向の下流側に除電光を照射する転写後除電とを実行するように構成されている。
【００１３】
この種の画像形成装置では、通常、転写前除電のための除電光の光量は、上記転写後除電のための除電光の光量よりも少なく設定されている。このため、除電光の光量が少ない転写前除電の方が、転写後除電に比べて、感光体ドラムの周面における除電光の光量のばらつきを生じ易い。
【００１４】
したがって、上記光量制御壁部は、上記転写前除電のための除電光の光路にのみ設けられていることが好ましい。こうすることで、上記光量制御壁部の数を極力減らして、製品コストを低減することができる。
【００１５】
上記光量制御壁部は、上記現像装置の上面に形成されていることが好ましい。
【００１６】
この構成によれば、現像装置の上面と転写ベルトとの間のデッドスペースに上記光量制御壁部を形成することができるので、画像形成装置全体を小型化することができる。また、現像装置のカバー部材の一部を利用して上記光量制御壁部を形成することができるので、部品の共通化を図って製品コストを低減することができる。
【発明の効果】
【００１７】
本発明によれば、感光体ドラムの周面における除電光の光量がドラム軸方向において一定になる。したがって、感光体ドラムの周面の残留電荷をむら無く確実に除去することができる。
【図面の簡単な説明】
【００１８】
【図１】図１は、本実施形態における画像形成装置を示す概略の全体図である。
【図２】図２は、ドラムユニットを示す、感光体ドラムの軸方向に垂直な断面で切った断面図である。
【図３】図３は、除電装置の構成を説明するための説明図である。
【図４】図４は、除電装置から出射される除電光の光路を示す概略図である。
【図５】図５は、隣合う画像形成ユニットを拡大して示す拡大斜視図である。
【図６】図６は、現像ユニットの上側カバー部を示す、感光体ドラムの軸方向に垂直な断面で切った断面図である。
【図７】図７は、現像ユニットの上側カバー部を示す斜視図である。
【図８】図８は、上側カバー部の光量制御壁部に形成された切欠部の位置と、転写前除電用の発光ダイオード３５との位置関係を説明するための説明図である。
【図９】図９は、実施形態２を示す図８相当図である。
【発明を実施するための形態】
【００１９】
以下、本発明の実施形態を図面に基づいて詳細に説明する。尚、本発明は、以下の実施形態に限定されるものではない。
【００２０】
《実施形態１》
図１は、この発明の実施形態に係る画像形成装置１の概略構成図を示す。以下の説明において、前側、後側は、画像形成装置１の前側、後側（図１の紙面垂直方向の手前側、奥側）を意味し、左側、右側は、画像形成装置１を前側から見たときの左側、右側を意味するものとする。
【００２１】
上記画像形成装置１は、タンデム方式のカラープリンターであって、箱形のケーシング２内に画像形成部３を備えている。この画像形成部３は、ネットワーク接続等がされたコンピューター等の外部機器から伝送されてくる画像データーに基づき画像を記録紙Ｐに転写形成する部署である。画像形成部３の下方には、レーザー光を照射する露光装置４が配置され、画像形成部３の上方には、転写ベルト５が配置されている。露光装置４の下方には、記録紙Ｐを貯留する用紙貯留部６が配置され、用紙貯留部６の側方には、手差し給紙部７が配置されている。転写ベルト５の側方上部には、記録紙Ｐに転写形成された画像に定着処理を施す定着部８が配置されている。符号９は、ケーシング２上部に配置され、定着部８で定着処理が施された記録紙Ｐを排出する用紙排出部である。
【００２２】
画像形成部３は、転写ベルト５に沿って一列に配置された４つの画像形成ユニット１０を備えている。これら画像形成ユニット１０は、感光体ドラム１１を有している。各感光体ドラム１１の直下には、帯電器１２が配置され、各感光体ドラム１１の一側方には、現像装置１３が配置され、各感光体ドラム１１の直上には、一次転写ローラー１４が配置され、各感光体ドラム１１の他側方には、感光体ドラム１１の周面をクリーニングするクリーニング部１５が配置されている。クリーニング部１５の上端部には、除電装置３０が配置されている。除電装置３０の詳細については後述する。
【００２３】
各感光体ドラム１１は、帯電器１２によって周面が一定に帯電され、当該帯電後の感光体ドラム１１の周面に対して、上記コンピューター等から入力された画像データーに基づく各色に対応したレーザー光が露光装置４から照射され、各感光体ドラム１１の周面に静電潜像が形成される。かかる静電潜像に現像装置１３から現像剤が供給されて、各感光体ドラム１１の周面にイエロー、マゼンタ、シアン、又はブラックのトナー像が形成される。これらトナー像は、一次転写ローラー１４に印加された転写バイアスにより転写ベルト５にそれぞれ重ねて転写される。
【００２４】
符号１６は、定着部８の下方に転写ベルト５と当接した状態で配置された二次転写ローラーであり、用紙貯留部６又は手差し給紙部７から用紙搬送路１７を搬送される記録紙Ｐを二次転写ローラー１６と転写ベルト５とで挟持し、二次転写ローラー１６に印加された転写バイアスにより転写ベルト５上のトナー像を記録紙Ｐに転写するようになっている。
【００２５】
定着部８は、加熱ローラー１８と加圧ローラー１９とを備え、これら加熱ローラー１８と加圧ローラー１９とにより記録紙Ｐを挟持して加圧しながら加熱し、記録紙Ｐに転写されたトナー像を記録紙Ｐに定着させるようにしている。定着処理後の記録紙Ｐは、用紙排出部９に排出される。符号２０は、両面印刷時に定着部８から排出された記録紙Ｐを反転させるための反転搬送路である。
【００２６】
上記除電装置３０は、一次転写ローラー１４によるトナー像の一次転写前に感光体ドラム１１の周面に除電光を照射する転写前除電と、該一次転写後に感光体ドラム１１の周面に除電光を照射する転写後除電とを実行可能になっている。転写後除電に加えて転写前除電を実行することで、感光体ドラム１１の周面の残留電荷を確実に除去することができる。尚、４つの除電装置３０のうち図１の最も右側に位置する除電装置３０は、右側に隣接する画像形成ユニット１０が存在しないため、転写後除電のみを実行する。
【００２７】
図２及び図３は、転写後除電及び転写前除電の双方を実行可能な除電装置３０を示している。この除電装置３０は、光源ユニット３１及び光源カバー３２を有している。
【００２８】
光源カバー３２は、クリーニングローラー１５ａなどを収容する外殻ケース１５ｂに取り付けられていて、画像形成装置１内の飛散トナーや異物が光源ユニット３１に付着しないように光源ユニット３１を覆っている。具体的には、光源カバー３２は、光源ユニット３１の長さ方向における一端から他端までを覆っている。光源カバー３２は、長手方向から見て光源ユニット３１の上側及び右側を覆うように断面Ｌ字状に形成されている。光源カバー３２は、透光性を有する部材、例えば透明または半透明の樹脂材料により形成されている。
【００２９】
上記光源ユニット３１は、基板３３と、基板３３上に取付けられた複数の転写後除電用の発光ダイオード３４と、基板３３上に取付けられた複数の転写前除電用の発光ダイオード３５と、基板３３に形成され、各発光ダイオード３４，３５の発光動作を制御する駆動回路（図示省略）とを有している。尚、転写後除電のみを実行する除電装置３０（最も右側に位置する除電装置３０）は、転写前除電用の発光ダイオード３５を有していないが、その他の構成は他の３つの除電装置３０と同じであるため説明を省略する。
【００３０】
上記基板３３は、感光体ドラム１１の軸方向（以下、ドラム軸方向という）に長い長方形状に形成され、感光体ドラム１１の軸方向の寸法とほぼ等しい長さ寸法を有している。基板３３は、ドラム軸方向と平行になるように配置され、クリーニング部１５の外殻ケース１５ｂの上端部に取り付けられている。転写後除電用の発光ダイオード３４及び転写前除電用の発光ダイオード３５は、ドラム軸方向と平行に一列に配列されている。転写前除電用の発光ダイオード３５は６つ設けられていて、ドラム軸方向に等間隔に配置されている。転写後除電用の発光ダイオード３４は、隣合う発光ダイオード３５同士の間に２つずつ、合計で１０個設けられている。転写後除電用の発光ダイオード３４の数は、転写前除電用の発光ダイオード３５の数よりも多い。したがって、本実施形態では、転写後除電用の除電光（以下、転写後除電光という）Ｌ１の方が、転写前除電用の除電光（以下、転写前除電光という）Ｌ２に比べて、光源である発光ダイオード３５の数が多い分だけ光量も多い。尚、発光ダイオード３４，３５の数はこの例に限らず、２つ以上であればよい。
【００３１】
図４は、除電装置３０よる転写後除電及び転写前除電の様子を示した概略図である。転写後除電用の発光ダイオード３４の向きは、当該発光ダイオード３４から出射される除電光Ｌ１が、画像形成ユニット１０の感光体ドラム１１の一次転写位置Ｐ１（一次転写ローラー１４に対向する位置）よりもドラム回転方向の下流側（より詳しくは一次転写位置Ｐ１とクリーニング位置Ｐ３との間）を照射するように設定されている。転写前除電用の発光ダイオード３５の向きは、当該発光ダイオード３５から出射される除電光Ｌ２が、画像形成ユニット１０の感光体ドラム１１の一次転写位置Ｐ１（図４参照）よりもドラム回転方向の上流側（より詳しくは一次転写位置Ｐ１と現像位置Ｐ４との間）を照射するように設定されている。転写前除電用の除電光Ｌ２の光路には光量制御壁部４０が設けられている。
【００３２】
図５に示すように、上記光量制御壁部４０は、隣合う感光体ドラム１１の間に設けられた現像装置１３の上面に形成されている。詳しくは、光量制御壁部４０は、現像装置１３の上壁部を構成する上側カバー部１３ａに一体形成されている。光量制御壁部４０はドラム軸方向に延びていて、その長さは感光体ドラム１１の軸方向の長さに略等しい。
【００３３】
図６及び図７に示すように、光量制御壁部４０は、上側に向かって右側に傾斜している。光量制御壁部４０は、下端から上端までの高さが一定の矩形状板の上端部に複数の切欠部４１を形成してなる。複数の切欠部４１は、光量制御壁部４０の長手方向（ドラム軸方向）に等間隔に形成されている。各切欠部４１は、光量制御壁部４０の厚さ方向から見て上側に開放する矩形状に形成されている。
【００３４】
図８は、各切欠部４１と転写前除電用の発光ダイオード３５との位置関係を概略的に示している。同図に示すように、切欠部４１は、光量制御壁部４０における隣合う発光ダイオード３５の間に対応する部分に形成されている。一方、光量制御壁部４０における各発光ダイオード３５に対応する部分には、切欠部４１が設けられていない。したがって、切欠部４１が形成された部分は、他の部分よりも転写前除電光Ｌ２を通し易くなっている。この切欠部４１の幅及び高さは、感光体ドラム１１の周面における転写前除電光Ｌ２の光量がドラム軸方向において一定になるように設定されている。
【００３５】
したがって、本実施形態では、感光体ドラム１１の周面における転写前除電光Ｌ２の光量をドラム軸方向において一定にすることができる。すなわち、光量制御壁部４０を設けない場合には、感光体ドラム１１の周面における隣合う発光ダイオード３５の間に対応する部分において、各発光ダイオード３５に対応する部分に比べて、転写前除電光Ｌ２の光量が少なくなる。このため、感光体ドラム１１の周面における転写前除電光Ｌ２の光量がドラム軸方向においてばらついてしまう。これに対して、本実施形態では、転写前除電用の発光ダイオード３５から感光体ドラム１１へと向かう除電光Ｌ２の光路に、ドラム軸方向に延びる光量制御壁部４０を配置するとともに、この光量制御壁部４０における隣合う発光ダイオード３５の間に対応する部分を、該光量制御壁部４０における各発光ダイオード３５に対応する部分よりも除電光Ｌ２を通し易い形状（上記実施形態では切欠形状）にしたことで、感光体ドラム１１の周面における転写前除電光Ｌ１の光量ばらつきを解消して、感光体ドラム１１の周面の残留電荷を除電装置３０によってむら無く確実に除去することができる。しかも本実施形態では、光量制御壁部４０に複数の切欠部４１を形成するだけでよいので、簡単な構成で上記光量ばらつきを解消することができる
また、本実施形態では、転写前除電光Ｌ２の光路にのみ光量制御壁部４０設けるようにしたことで、製品コストを低減することができる。すなわち、転写前除電光Ｌ２の光量は転写後除電光Ｌ１の光量に比べて少ないので、転写前除電の方が転写後除電に比べて感光体ドラム１１の周面における除電光Ｌ２の光量ばらつきが生じ易い。本実施形態では、この点を考慮して、転写前除電の光路にのみ光量制御壁部４０を設けることで、光量制御壁部の数を極力減らして製品コストを抑制している。
【００３６】
また本実施形態では、上記光量制御壁部４０は現像装置１３の上面に形成されている。これによれば、現像装置１３の上面と中間転写ベルト５との間のデッドスペースに上記光量制御壁部４０を形成することができるので、画像形成装置１全体を小型化することができる。また、現像装置１３の上側カバー部１３ａの一部を利用して光量制御壁部４０を形成することができるので、部品の共通化を図って製品コストを低減することができる。
【００３７】
《実施形態２》
図９は実施形態２を示している。この実施形態は、光量制御壁部４０の形状及び材質が上記実施形態１とは異なっている。尚、図８と同じ構成部分には同じ符号を付してその詳細な説明を省略する。
【００３８】
すなわち、本実施形態では、光量制御壁部４０は、ドラム軸方向に平行に延びると共に下端縁から上端縁までの高さが一定の矩形板部からなる。この光量制御壁部４０における隣合う光源３５の間に対応する部分は第一透光部４２からなる。一方、光量制御壁部４０における各光源３５に対応する部分は第二透光部４３からなる。第一透光部４２の光透過率は、感光体ドラム１１の周面における転写前除電光Ｌ２の光量がドラム軸方向において一定になるように、第二透光部４３の透過率よりも高く（光を通し易く）なっている。本実施形態では、第一透光部４２は、表面が平坦状をなす透明部材で構成され、第二透光部４３は、表面にシボを有する磨りガラス状の部材で構成されている。この構成によれば、光量制御壁部の形状を複雑化することなく、簡単な構成で感光体ドラムの周面における除電光の光量のばらつきを抑制することができる。よって、上記実施形態１と同様の作用効果を得ることができる。
【００３９】
《他の実施形態》
上記実施形態１では、切欠部４１を矩形状に形成するようにしているが、これに限ったものではなく、例えば円形状や三角形状であってもよい。
【００４０】
上記実施形態２では、光量制御壁部４０に第一透光部４２及び第二透光部４３を形成するようにしているが、第二透光部４３に替えて、全く光を通さない遮光部を採用するようにしてもよい。
【００４１】
上記各実施形態では、光量制御壁部４０を転写前除電光Ｌ２の光路に設けた例を示したが、これに限ったものではなく、例えば光量制御壁部４０を転写後除電光Ｌ１の光路に設けるようにしてもよい。
【００４２】
上記各実施形態では、光量制御壁部４０を現像装置１３の上面に形成するようにしているが、これに限ったものではなく、例えば光源カバー３２の一部を光量制御壁部４０として兼用するようにしてもよい。これにより、現像装置１３と中間転写ベルト５との間の限られたスペースに光量制御壁部４０を形成する場合に比べて、光量制御壁部の形状自由度が高くなる。また、光源カバー３２と光量制御壁部４０を兼用することで製品コストをさらに低減することができる。
【産業上の利用可能性】
【００４３】
以上説明したように、本発明は、除電装置及び除電装置を備えた画像形成装置について有用である。
【符号の説明】
【００４４】
Ｐ１   一次転写位置
Ｐ２   帯電位置
Ｌ１   転写後除電光
Ｌ２   転写前除電光
１     画像形成装置
５     中間転写ベルト
１０   画像形成ユニット
１１   感光体ドラム
１３   現像装置
１４   一次転写ローラー
１６   二次転写ローラー
３５   転写前除電用の発光ダイオード（光源）
４０   光量制御壁部
４１   切欠部（光量制御壁部における隣合う光源の間）
４２   第一透光部（光量制御壁部における隣合う光源の間）
【図１】
2016090708.tif 000003
【図２】
2016090708.tif 000004
【図３】
2016090708.tif 000005
【図４】
2016090708.tif 000006
【図５】
2016090708.tif 000007
【図６】
2016090708.tif 000008
【図７】
2016090708.tif 000009
【図８】
2016090708.tif 000010
【図９】
2016090708.tif 000011